(57)【要約】【課題】  構造簡単にしてスライドドアと車体との相対変位を吸収可能とする。【解決手段】  電源からの配線が接続される車体側コネクタ１と、この車体側コネクタ１とスライドドア内に装備された各種電装品からの配線が接続されるドア側コネクタ２とをワイヤハーネス３で接続した車両用スライドドアの給電装置において、ドア側に設けたロッド５に複数の吊具６をスライド可能に設け、これら吊具６に前記ワイヤハーネス３を所定の長さ個所毎に取り付け、ドアのスライドに伴って吊具６がロッド５上をスライドしてワイヤハーネス３を伸長、縮小させるようにした。【選択図】  図１
2006143005.tif 000002
【特許請求の範囲】
【請求項１】
電源からの配線が接続される車体側コネクタと、この車体側コネクタとスライドドア内に装備された各種電装品からの配線が接続されるドア側コネクタとをワイヤハーネスで接続した車両用スライドドアの給電装置において、
ドア側に設けたロッドに複数の吊具をスライド可能に設け、
これら吊具に前記ワイヤハーネスを所定の長さ個所毎に取り付け、
ドアのスライドに伴って吊具がロッド上をスライドしてワイヤハーネスを伸長、縮小させることを特徴とする車両用スライドドアの給電装置。
【請求項２】
前記吊具間に吊具同士を近づける方向に作用する引張スプリングを取り付け、ドアを閉めたときに吊具を一端側に引き寄せることを特徴とする請求項１に記載の車両用スライドドアの給電装置。
【発明の詳細な説明】
【技術分野】
【０００１】
本発明は車両用スライドドアのドアガラス昇降モータ等の電装品へ給電するための給電装置の改良に関する。
【背景技術】
【０００２】
近年、バン型車のＲＶ車としての用途拡大に伴い、ドアガラス昇降を自動化する等のために、スライドドアに設けたドアガラス昇降モータやリミットスイッチ等へ車両ボデー側から給電する必要が生じている。そこで、湾曲変形するフレキシブルフラットケーブル（以下単に「フラットケーブル」という）をボデー側とドア側とに接続する方法が考えられた（特許文献１参照）。しかしながら、このフラットケーブルをボデー側に設ける必要があるため、フラットケーブルの収納スペースをボデーパネルに確保し、あるいはフラットケーブルを泥水等から遮蔽するためのカバーをボデーパネルに設ける必要がある等によりパネル構造が複雑化し大幅なコストアップになるという問題が生じた。そこで、ボデーパネルの形状が複雑化することによる大幅なコストアップを生じることのない車両用スライドドアの給電装置として、スライドドアに設けられてドア開閉方向へ延びるガイド部材と、当該ガイド部材に相対移動可能に保持されたスライダと、車両ボデー側から延びて前記スライダを経由して前記スライドドア内の電気部品に至る給電線と、前記スライダに一端が、前記車両ボデーに他端がそれぞれ結合されて前記給電線を支持する、弾性的に湾曲変形可能な第１の支持部材とを具備し、スライドドアの開閉に伴う第１の支持部材の車両ボデー側固定点とスライダ側固定点との相対間隔の変化を、前記第１の支持部材の湾曲変形により吸収するようにしたものが開発された（特許文献２参照）。
【特許文献１】特許第３２１６８７２号公報（第２頁、図２）
【特許文献２】特許第３５２１７８２号公報（第３頁、図１）
【発明の開示】
【発明が解決しようとする課題】
【０００３】
特許文献２に公開された装置でも、ボデーパネルの形状の複雑化を防ぐことはできても、給電装置自体は、フラットケーブルをガイドレール内に収めるため、この空間内でフラットケーブルが湾曲変形することが必要であり、かつ給電線の支持部材も湾曲変形する空間を必要とし、装置自体は、部品点数も多くそれほど簡単な構造にはなっていなかった。
【０００４】
そこで、本発明は、高価なフラットケーブル以外の安価な電線などを使用でき、構造簡単にしてスライドドアと車体（ボデー）との相対変位を吸収可能とするとともに、動作の信頼性を高めた車両用スライドドアの給電装置を提供することを目的とする。
【課題を解決するための手段】
【０００５】
上述の目的を達成するため、本発明は、電源からの配線が接続される車体側コネクタと、この車体側コネクタとスライドドア内に装備された各種電装品からの配線が接続されるドア側コネクタとをワイヤハーネスで接続した車両用スライドドアの給電装置において、ドア側に設けたロッドに複数の吊具をスライド可能に設け、これら吊具に前記ワイヤハーネスを所定の長さ個所毎に取り付け、ドアのスライドに伴って吊具がロッド上をスライドしてワイヤハーネスを伸長、縮小させるようにしたものである。また、前記吊具間に吊具同士を近づける方向に作用する引張スプリングを取り付け、ドアを閉めたときに吊具を一端側に引き寄せるようにしたものである。
【発明の効果】
【０００６】
本発明によれば、電源からの配線が接続される車体側コネクタと、この車体側コネクタとスライドドア内に装備された各種電装品からの配線が接続されるドア側コネクタとをワイヤハーネスで接続した車両用スライドドアの給電装置において、ドア側に設けたロッドに複数の吊具をスライド可能に設け、これら吊具に前記ワイヤハーネスを所定の長さ個所毎に取り付け、ドアのスライドに伴って吊具がロッド上をスライドしてワイヤハーネスを伸長、縮小させるようにしたので、吊具がロッド上をスライドすることにより、ワイヤハーネスの余長を吸収することができ、しかも給電装置そのものの構造がきわめて簡単なものとなり、低コストで提供できる。また、吊具間に引張スプリングを取り付けたものでは、ワイヤケーブル伸長（ドア開）後にこのケーブルを縮小（ドア閉）するときに吊具のスライドを確実にし、動作の信頼性が高いものとなる。
【発明を実施するための最良の形態】
【０００７】
以下に、この発明の実施形態を図面を参照にして説明する。
【０００８】
図１は、スライドドアが閉じた状態の平面略図を示し、バッテリーなどの電源からの配線が接続される車体側に設けられた車体側コネクタ１と、この車体側コネクタ１とスライドドア内に装備された各種電装品からの配線が接続されるドア側に設けられたドア側コネクタ２とをワイヤハーネス３で接続してある。このドア側コネクタ２は、図示しないスライドドア内部に設けたケース４内に取り付けてあり、このケース４内には、その長手方向に沿ってロッド５を設け、このロッド５上をスライドし、ワイヤハーネス３の適宜個所をつかむ複数の吊具６をロッド５に取り付けてある。これら吊具６をこの例では３個使用し、図面上左端の吊具６はロッド５の端に固定してある。残りの２個の吊具６がロッド５上を左右にスライドする。これら吊具６は、ワイヤハーネス３の所定の長さ個所毎に取り付けてある。また、吊具６間に吊具６同士を近づける方向に作用する引張スプリング７を取り付けてある。
【０００９】
図２は図１のスライドドアを閉じた状態から開いた状態にした簡略平面図であり、右側の吊具６は、ロッド５の右端近くまで移動し、引張スプリング７は伸び、ワイヤハーネス３も伸長状態となる。引張スプリング７としては、コイルスプリングを用い、その両端をそれぞれ吊具６に固定し、このコイルスプリングをロッド５に挿通させてある。前記車体側コネクタ１は、ドアの車体側ステップの内部に組み込んであり、この取付位置は不動である。この不動な取付位置である車体側コネクタ１に対して図示しないスライドドアがスライドすることに伴ってケース４もドアと一緒にスライドする。ドア側コネクタ２と車体側コネクタ１との距離が一番遠い状態にあるとき、すなわち図２の状態においてスライドドアは全開状態となる。この引張スプリング７の引張力はそれほど強くする必要はなく、ロッド５に対して吊具６の摩擦抵抗が少ないように取り付けておくことにより、スライドドアを閉じたときには図１に示すように吊具６がロッド５の左端にきちんと整列し、ワイヤハーネス３の余長をケース４内で吸収できるようになっている。
【００１０】
上述した実施例では、一端側の吊具６のみを固定とし、他の２個の吊具６をロッド５に対してスライド可能としたが、さらに吊具６の数を増やすこともできる。吊具６の数を増やすことでケース４内のスペースを小さくすることもできる。吊具６の数はワイヤハーネス３の長さに応じて適宜変更することが可能である。
【図面の簡単な説明】
【００１１】
【図１】スライドドアを閉じた状態の平面概略図。
【図２】スライドドアを開いた状態の平面概略図。
【符号の説明】
【００１２】
１  車体側コネクタ
２  ドア側コネクタ
３  ワイヤハーネス
５  ロッド
６  吊具
【図１】
2006143005.tif 000003
【図２】
2006143005.tif 000004